(57)【要約】【課題】セキュリティを高めた上で、従業員にとって煩雑な操作を必要とすることなく遊技媒体の連続計数を可能とし、従業員を拘束することがない計数装置を提供する。【解決手段】計数装置１は、従業員が携帯する従業員カードに内蔵されているＩＣタグから読取れられた識別情報が正であると、投入口７を開放させてパチンコ玉の計数の抑制を解除し、パチンコ玉の受入収容器３への投入が投入遮断蓋４により遮断された状態を開閉検知センサ６が検知すると、投入口７を閉鎖させてパチンコ玉の計数を抑制する。従業員は、従業員カードに内蔵されているＩＣタグから識別情報を読取らせることにより、遊技媒体の計数を行うことができ、投入遮断蓋４を閉鎖位置にスライド移動させることにより、パチンコ玉の計数を抑制（禁止）することができる。【選択図】図１
2008220751.tif 000002
【特許請求の範囲】
【請求項１】
投入された遊技媒体を受入れて一時的に収容する受入収容手段と、
遊技媒体の前記受入収容手段への投入を遮断する投入遮断手段により、遊技媒体の前記受入収容手段への投入が遮断された状態を検知する検知手段と、
計数適格者であるか否かを判定するための識別情報を取得する識別情報取得手段と、
前記識別情報取得手段が取得した識別情報に基づいて計数適格者であるか否かを判定する判定手段と、
前記受入収容手段に収容された遊技媒体を計数する計数手段と、
前記計数手段による遊技媒体の計数を抑制し、前記判定手段が計数適格者であると判定した場合に、前記計数手段による遊技媒体の計数の抑制を解除する計数抑制手段とを備え、
前記計数抑制手段は、前記計数手段による遊技媒体の計数の抑制を解除している場合に、遊技媒体の前記受入収容手段への投入が前記投入遮断手段により遮断された状態を前記検知手段が検知したことに応じて、前記計数手段による遊技媒体の計数の抑制を再開することを特徴とする遊技媒体計数装置。
【請求項２】
前記計数抑制手段は、前記受入収容手段に受入れられた遊技媒体を前記計数手段に案内する取込口に設けられ、前記受入収容手段に受入れられた遊技媒体が前記取込口を通じて前記計数手段に案内されるように前記取込口を開放する開放状態と案内されないように前記取込口を閉鎖する閉鎖状態とを切換える取込口開閉手段を備えて構成されていることを特徴とする請求項１記載の遊技媒体計数装置。
【請求項３】
前記計数抑制手段は、前記受入収容手段に受入れられた遊技媒体が前記計数手段に案内されるように回転運動する回転運動状態と案内されないように回転運動を禁止する回転運動禁止状態とを切換える計数円板を備えて構成されていることを特徴とする請求項１記載の遊技媒体計数装置。
【請求項４】
遊技媒体の前記受入収容手段への投入が前記投入遮断手段により遮断された状態を前記検知手段が検知しているときに前記計数抑制手段が前記計数手段による遊技媒体の計数を抑制しているか否かを特定可能な報知情報を報知する報知手段を備えたことを特徴とする請求項１ないし３のいずれかに記載の遊技媒体計数装置。
【請求項５】
前記計数抑制手段は、前記計数手段が遊技媒体の計数を継続している状態で遊技媒体の前記受入収容手段への投入が前記投入遮断手段により遮断された状態を前記検知手段が検知した場合には、前記計数手段が遊技媒体の計数を終了した後に、前記計数手段による遊技媒体の計数の抑制を再開することを特徴とする請求項１ないし４のいずれかに記載の遊技媒体計数装置。
【発明の詳細な説明】
【技術分野】
【０００１】
本発明は、例えばパチンコ玉などの遊技媒体を計数する遊技媒体計数装置に関する。
【背景技術】
【０００２】
遊技場では、遊技客は遊技により獲得した遊技媒体を計数装置により計数して希望する景品と交換するようになっている。このような計数装置として、遊技媒体を計数する計数部に通じる取込口にシャッタが設けられ、そのシャッタが従業員の認証結果が正であることを条件として開閉され、不正な計数を防止するように構成されたものがある（例えば特許文献１参照）。
【０００３】
また、上記した特許文献１では、計数終了後にシャッタが閉じられてしまうと、計数する毎に従業員の認証が必要となり、計数処理中に計数待ちの遊技客（計数候補者）が待機しているときに非常に不便であるという問題があるので、このような問題を解決すべく、従業員を認証すると共に従業員が特定の操作を行うことにより、次の計数時の認証を不要として計数を可能とするように構成されたものもある（例えば特許文献２参照）。
【特許文献１】特開２００５−３３４２４６号公報
【特許文献２】特開２００２−１７２２６８号公報
【発明の開示】
【発明が解決しようとする課題】
【０００４】
ところが、上記した特許文献２では、従業員が特定の操作を行う必要があるので、その操作が従業員にとって煩雑であるという問題がある。また、計数終了時にシャッタを所定期間だけ開放させておき、その所定期間だけは次の計数に待機する構成が考えられるが、計数待ちの遊技客が待機していないときにシャッタが開放されたままで従業員が計数装置から離れてしまうと、不正な計数が行われる虞があるので、シャッタが閉鎖されるまでの所定期間が経過するまで従業員を拘束してしまうことになり、実用的ではないという問題もある。
【０００５】
ところで、シャッタが自動開閉される構成としては、シャッタが取込口の周辺に設けられる構成があり、このような構成によれば、シャッタを小型化することができ、コスト上のメリットがある。しかしながら、このような構成では、取込口を目視しなければシャッタの開閉状態を確認することができないので、遊技者が自身で計数を行うときには、遊技者が取込口を目視してシャッタの開閉状態を確認することを想定し難いので、その結果、取込口が閉鎖されているにも拘らず遊技者が遊技媒体を投入してしまったり計数装置に対応する遊技媒体とは異なる遊技媒体を投入してしまったりする虞があり、不便な面もある。
【０００６】
本発明は、上記した事情に鑑みてなされたものであり、その目的は、セキュリティを高めた上で、従業員にとって煩雑な操作を必要とすることなく遊技媒体の連続計数を可能とし、しかも、従業員を拘束してしまうことがなく、実用性に優れた遊技媒体計数装置を提供することにある。
【課題を解決するための手段】
【０００７】
請求項１記載の発明は、投入された遊技媒体を受入れて一時的に収容する受入収容手段と、遊技媒体の前記受入収容手段への投入を遮断する投入遮断手段により、遊技媒体の前記受入収容手段への投入が遮断された状態を検知する検知手段と、計数適格者であるか否かを判定するための識別情報を取得する識別情報取得手段と、前記識別情報取得手段が取得した識別情報に基づいて計数適格者であるか否かを判定する判定手段と、前記受入収容手段に収容された遊技媒体を計数する計数手段と、前記計数手段による遊技媒体の計数を抑制し、前記判定手段が計数適格者であると判定した場合に、前記計数手段による遊技媒体の計数の抑制を解除する計数抑制手段とを備え、前記計数抑制手段は、前記計数手段による遊技媒体の計数の抑制を解除している場合に、遊技媒体の前記受入収容手段への投入が前記投入遮断手段により遮断された状態を前記検知手段が検知したことに応じて、前記計数手段による遊技媒体の計数の抑制を再開するように構成したところに特徴を有する。
【０００８】
請求項２記載の発明は、前記計数抑制手段は、前記受入収容手段に受入れられた遊技媒体を前記計数手段に案内する取込口に設けられ、前記受入収容手段に受入れられた遊技媒体が前記取込口を通じて前記計数手段に案内されるように前記取込口を開放する開放状態と案内されないように前記取込口を閉鎖する閉鎖状態とを切換える取込口開閉手段を備えて構成されているところに特徴を有する。
【０００９】
請求項３記載の発明は、前記計数抑制手段は、前記受入収容手段に受入れられた遊技媒体が前記計数手段に案内されるように回転運動する回転運動状態と案内されないように回転運動を禁止する回転運動禁止状態とを切換える計数円板を備えて構成されているところに特徴を有する。
【００１０】
請求項４記載の発明は、遊技媒体の前記受入収容手段への投入が前記投入遮断手段により遮断された状態を前記検知手段が検知しているときに前記計数抑制手段が前記計数手段による遊技媒体の計数を抑制しているか否かを特定可能な報知情報を報知する報知手段を備えて構成したところに特徴を有する。
【００１１】
請求項５記載の発明は、前記計数抑制手段は、前記計数手段が遊技媒体の計数を継続している状態で遊技媒体の前記受入収容手段への投入が前記投入遮断手段により遮断された状態を前記検知手段が検知した場合には、前記計数手段が遊技媒体の計数を終了した後に、前記計数手段による遊技媒体の計数の抑制を再開するように構成したところに特徴を有する。
【発明の効果】
【００１２】
請求項１記載の発明によれば、計数適格者であるか否かを判定するための識別情報を識別情報取得手段が取得し、その識別情報取得手段が取得した識別情報に基づいて計数適格者であると判定手段が判定すると、計数抑制手段は、計数手段による遊技媒体の計数の抑制を解除し、その一方で、計数手段による遊技媒体の計数の抑制を解除している場合に、遊技媒体の受入収容手段への投入が投入遮断手段により遮断された状態を検知手段が検知すると、計数抑制手段は、計数手段による遊技媒体の計数の抑制を再開するように構成したので、計数適格者である例えば従業員は、自身が計数適格者であることを識別させることにより、遊技媒体の計数を行うことができ、その一方で、遊技媒体の受入収容手段への投入を投入遮断手段により遮断させることにより、遊技媒体の計数を抑制（禁止）することができる。これにより、セキュリティを高めた上で、従業員にとって煩雑な操作を必要とすることなく遊技媒体の連続計数を可能とし、しかも、従業員を拘束してしまうこともなく、実用性を高めることができる。
【００１３】
請求項２記載の発明によれば、計数抑制手段を、受入収容手段に受入れられた遊技媒体を計数手段に案内する取込口に設けられ、受入収容手段に受入れられた遊技媒体が取込口を通じて計数手段に案内されるように取込口を開放する開放状態と案内されないように取込口を閉鎖する閉鎖状態とを切換える取込口開閉手段を備えて構成したので、取込口開閉手段が取込口を開放する開放状態と取込口を閉鎖する閉鎖状態とを切換えることにより、例えばパチンコ玉などの自由落下する遊技媒体を計数する計数装置に適用することができる。
【００１４】
請求項３記載の発明によれば、計数抑制手段を、受入収容手段に受入れられた遊技媒体が計数手段に案内されるように回転運動する回転運動状態と案内されないように回転運動を禁止する回転運動禁止状態とを切換える計数円板を備えて構成したので、計数手段が回転運動する回転運動状態と回転運動を禁止する回転運動禁止状態とを切換えることにより、例えばメダルなどの自由落下しない遊技媒体を計数する計数装置に適用することができる。
【００１５】
請求項４記載の発明によれば、報知手段は、遊技媒体の受入収容手段への投入が投入遮断手段により遮断された状態を検知手段が検知しているときに計数抑制手段が計数手段による遊技媒体の計数を抑制しているか否かを特定可能な報知情報を報知するように構成したので、遊技媒体の受入収容手段への投入が投入遮断手段により遮断された状態であるときに計数手段による遊技媒体の計数を抑制しているか否かを従業員に把握させることができる。
【００１６】
請求項５記載の発明によれば、計数抑制手段は、計数手段が遊技媒体の計数を継続している状態で遊技媒体の受入収容手段への投入が投入遮断手段により遮断された状態を検知手段が検知すると、計数手段が遊技媒体の計数を終了した後に、計数手段による遊技媒体の計数の抑制を再開するように構成したので、計数手段が遊技媒体を計数している途中で中断（途中終了）してしまうことを回避することができ、遊技媒体の計数を最後まで適切に行うことができる。
【発明を実施するための最良の形態】
【００１７】
以下、本発明を遊技媒体としてパチンコ玉を計数するパチンコ玉計数装置に適用した一実施形態について図面を参照しながら説明する。パチンコ玉計数装置１（以下、計数装置１と称する）の本体ケース２には、パチンコ玉が投入されるホッパ状のパチンコ玉受入収容器３（以下、受入収容器３と称する）（本発明でいう受入収容手段）が設けられており、その受入収容器３の最上部には３枚の蓋４ａ〜４ｃ（図３参照）が連結されてなる投入遮断蓋４（本発明でいう投入遮断手段）がスライド移動可能に設けられている。投入遮断蓋４を構成する３枚の蓋４ａ〜４ｃのうち蓋４ａには把持部５が設けられており、従業員は把持部５を持って投入遮断蓋４をスライド移動させることが可能になっている。
【００１８】
この場合、従業員は、図２に示すように、投入遮断蓋４を開放位置にスライド移動させる（把持部５を前方に押出す）ことにより、受入収容器３の受入口３ａを開放させてパチンコ玉を受入収容器３に投入することができ、一方、図３に示すように、投入遮断蓋４を閉鎖位置にスライド移動させる（把持部５を手前側に引く）ことにより、受入収容器３の受入口３ａを閉鎖させてパチンコ玉の受入収容器３への投入を遮断することができる。また、受入収容器３の上部であって従業員から見て手前側には、投入遮断蓋４が閉鎖位置にスライド移動されているか否か、つまり、受入収容器３の受入口３ａが閉鎖されているか否かを検知する開閉検知センサ６（本発明でいう検知手段）が設けられている。
【００１９】
受入収容器３の最下部には取込口７が形成されている。投込口７にはシャッタ８（本発明でいう取込口開閉手段）がスライド移動可能に設けられている。シャッタ８は、例えばモータを利用したシャッタ駆動装置９（図４参照）により、受入収容器３に受入れられたパチンコ玉が取込口７を通じて計数部１０（図４参照）（本発明でいう計数手段）に案内されるように取込口７を開放する開放位置（破線にて示す位置）と案内されないように取込口７を閉鎖する閉鎖位置（二点鎖線にて示す位置）との間で図２中矢印Ａ１，Ａ２方向にスライド往復移動する（変位する）（本発明でいう開放状態と閉鎖状態とを切換える）ようになっている。シャッタ８が開放位置にスライド移動されている状態では、受入収容器３に投入されたパチンコ玉は、投入口７、計数部１０及び排出路（図示せず）を通じて本体ケース２の外部に排出されるようになっている。尚、計数部１０は、通過したパチンコ玉数に対応した数の計数パルスをリアルタイムで発生する構成となっている。
【００２０】
受入収容器３の後方には、例えば液晶ディスプレイからなる表示部１１が設けられており、この表示部１１は、計数部１０による計数値、つまり、投入されたパチンコ玉数、その投入されて計数されたパチンコ玉により交換可能な特定景品の交換個数、パチンコ玉を特定景品と交換した場合における余りパチンコ玉数などを表示するという周知の表示機能を有して構成されている。
【００２１】
本体ケース２の上面部には、レシート発行ボタン１２、返却ボタン１３、レシート発行ボタン１２が押下されたときにレシート（計数したパチンコ玉数を特定可能な情報、当日の日付及び景品交換が有効な有効期限などが記録された周知の記録媒体）を発行するレシート発行部１４が設けられていると共に、上記した表示部１１の近傍には、会員カードが挿入されるカード挿入口１５が設けられている。会員カードは、例えば遊技場の遊技会員となった遊技客に対して発行されるものであり、具体的には図示しないが、その表面には、テープ状の磁気記録部が設けられていると共に、加盟店名及び会員に固有のデータに対応した数字列、会員の氏名を示す文字列、カード有効年月日を示す数字列などがエンボスにより形成されている。磁気記録部には、例えば遊技場を特定するための加盟店コード、会員に割当てられたＩＤ番号、カード有効年月日を含むＩＤデータなどが記録されている。会員カードがカード挿入口１５に挿入されると、会員カードに記録されている各データがカードリーダ１６（図４参照）に読取られる。
【００２２】
本体ケース２の正面部には、例えば従業員が携帯する従業員カードに内蔵されているＩＣタグから当該ＩＣタグに記録されている識別情報を読取るＩＣタグ読取部１７（本発明でいう識別情報取得手段）が設けられていると共に、上記した返却ボタン１３が押下されたときに余り玉を放出する余り玉返却部１８が設けられている。
【００２３】
図４は、上記した計数装置１の電気的な構成を機能ブロック図として示している。制御部１９（本発明でいう判定手段）は、ＣＰＵ、ＲＯＭ、ＲＡＭ、Ｉ／Ｏなどを備えたマイクロコンピュータにより構成されており、上記した開閉検知センサ６が出力する検知信号、計数部１０が出力する計数信号、レシート発行ボタン１２が出力する押下信号、返却ボタン１３が出力する押下信号、カードリーダ１６が出力する読取信号、ＩＣタグ読取部１７が出力する読取信号を入力し、それら入力した各信号及びＲＯＭに記憶した制御プログラムに基づいて、シャッタ駆動装置９、表示部１１、レシート発行部１４、余り玉返却部１８の動作を制御すると共に、送受信部２０により管理装置２１やＰＯＳ装置２２や遊技機２３との間でのデータ送受信を制御する。この場合、制御部１９は、ＩＣタグからＩＣタグ読取部１７により読取られた識別情報を認証して正否を判定する機能を有しており、その認証結果に応じて識別情報の正否を示す識別正否フラグを設定するようになっている。尚、上記した構成では、シャッタ８、シャッタ駆動装置９及び制御部１９より本発明でいう計数抑制手段２４が構成されている。
【００２４】
次に、上記した構成の作用について、図５を参照して説明する。
制御部１９は、計数処理を開始すると、例えば従業員が携帯する従業員カードに内蔵されているＩＣタグから識別情報を読取ったか否かを判定すると共に（ステップＳ１）、その時点で識別正否フラグを「１」に設定しているか否かを判定する（ステップＳ２）。ここで、制御部１９は、ＩＣタグから識別情報を読取ると（ステップＳ１にて「ＹＥＳ」）、その読取った識別情報を認証して正否を判定し（ステップＳ３）、認証結果として識別情報が正であると（ステップＳ３にて「ＹＥＳ」）、識別情報が正であることを示す識別正否フラグを「１」に設定する（ステップＳ４）。
【００２５】
次いで、制御部１９は、開閉検知センサ６の検知結果がオフであるか否か、つまり、投入遮断蓋４が開放位置にスライド移動されて受入収容器３の受入口３ａが開放されているか否かを判定する（ステップＳ５）。また、制御部１９は、計数処理を開始した直後に識別正否フラグを「１」に設定していると（ステップＳ２にて「ＹＥＳ」）、この場合も、開閉検知センサ６の検知結果がオフであるか否か、つまり、投入遮断蓋４が開放位置にスライド移動されて受入収容器３の受入口３ａが開放されているか否かを判定する（ステップＳ５）。
【００２６】
ここで、制御部１９は、開閉検知センサ６の検知結果がオフであり、つまり、投入遮断蓋４が開放位置にスライド移動されて受入収容器３の受入口３ａが開放されていると（ステップＳ５にて「ＹＥＳ」）、シャッタ駆動装置９によりシャッタ８を開放位置にスライド移動させて取込口７を開放させ（ステップＳ６）、識別正否フラグを「０」に設定する（ステップＳ７）。
【００２７】
さて、この状態、つまり、受入収容器３の受入口３ａが開放され且つ取込口７が開放されている状態でパチンコ玉が受入収容器３に投入された場合を考える。パチンコ玉が受入収容器３に投入されると、この状態では取込口７が開放されているので、受入収容器３に投入されたパチンコ玉は、取込口７を通じて計数部１０に到達して計数部１０が計数を開始することになる。制御部１９は、計数部１０が計数を開始して計数パルスが発生すると（ステップＳ８にて「ＹＥＳ」）、計数値を加算する（ステップＳ９）。そして、制御部１９は、最後の計数パルスを検知してから計数パルスを検知しない時間が所定時間（例えば１秒）経過したことに応じて計数部１０が計数を終了すると（ステップＳ１０にて「ＹＥＳ」）、その時点で取込口７を開放させているか否かを判定する（ステップＳ１１）。
【００２８】
次いで、制御部１９は、計数部１０が計数を終了した時点で取込口７を開放させていると（ステップＳ１１にて「ＹＥＳ」）、開閉検知センサ６の検知結果がオンであるか否か、つまり、投入遮断蓋４が閉鎖位置にスライド移動されて受入収容器３の受入口３ａが閉鎖されているか否かを判定する（ステップＳ１２）。この場合、計数部１０が計数している途中で開閉検知センサ６の検知結果がオンであるか否かを判定するのではなく、計数部１０が計数を終了するのを待って開閉検知センサ６の検知結果がオンであるか否かを判定するのは、計数部１０が計数している途中で従業員が投入遮断蓋４を閉鎖位置にスライド移動させている場合を想定すると、前者（計数部１０が計数している途中で開閉検知センサ６の検知結果がオンであるか否かを判定する）のように構成すると、計数している途中で取込口７を閉鎖してしまうことになり、計数処理に支障を来たすことになるので、そのような状況に陥るのを未然に回避するためである。
【００２９】
ここで、計数部１０が計数を開始した後（計数部１０が計数している途中も含む）に従業員が投入遮断蓋４を閉鎖位置にスライド移動させていなければ、計数部１０が計数を終了した時点で開閉検知センサ６の検知結果がオンとはならないので、制御部１９は、開閉検知センサ６の検知結果がオンでないと（ステップＳ１２にて「ＮＯ」）、計数を終了した後にシャッタ８を閉鎖位置にスライド移動させることなく、レシート発行ボタン１２が押下されたか否かを判定し（ステップＳ１５）、レシート発行ボタン１２が押下されないと（ステップＳ１５にて「ＮＯ」）、上記したステップＳ８に戻る。
【００３０】
すなわち、投入遮断蓋４が閉鎖位置にスライド移動されない限りは、取込口７が開放されたままになるので、従業員は、投入遮断蓋４を閉鎖位置にスライド移動させることなく且つレシート発行ボタン１２を押下しなければ、同じ遊技客が獲得した次のパチンコ玉を受入収容器３に投入して引続いて計数することができる。
【００３１】
これに対して、計数部１０が計数を開始してから従業員が投入遮断蓋４を閉鎖位置にスライド移動させていれば、計数部１０が計数を終了した時点で開閉検知センサ６の検知結果がオンになり、制御部１９は、開閉検知センサ６の検知結果がオンであると（ステップＳ１２にて「ＹＥＳ」）、計数を終了した後にシャッタ８を閉鎖位置にスライド移動させて取込口７を閉鎖させる（ステップＳ１３）。次いで、制御部１９は、計数した計数値が「０」よりも大きければ（ステップＳ１４にて「ＹＥＳ」）、レシート発行ボタン１２が押下されたか否かを判定し（ステップＳ１５）、レシート発行ボタン１２が押下されると（ステップＳ１５にて「ＹＥＳ」）、レシート発行部１４からレシートを発行させる（ステップＳ１６）。
【００３２】
次いで、制御部１９は、計数値を「０」に設定し（初期化し）（ステップＳ１７）、その時点で取込口７を開放させているか否かを再度判定する（ステップＳ１８）。そして、制御部１９は、取込口７を開放させていると（ステップＳ１８にて「ＹＥＳ」）、開閉検知センサ６の検知結果がオンであるか否か、つまり、投入遮断蓋４が閉鎖位置にスライド移動されて受入収容器３の受入口３ａが閉鎖されているか否かを再度判定すると共に（ステップＳ１９）、計数部１０が計数を開始したか否かを再度判定する（ステップＳ２０）。そして、制御部１９は、投入遮断蓋４が閉鎖位置にスライド移動されて受入収容器３の受入口３ａが閉鎖されていると（ステップＳ１９にて「ＹＥＳ」）、シャッタ８を閉鎖位置にスライド移動させて取込口７を閉鎖させ（ステップＳ２１）、上記したステップＳ１に戻る。
【００３３】
すなわち、レシートが発行される前に投入遮断蓋４が閉鎖位置にスライド移動されると、計数が終了するのを待って取込口７が閉鎖されることになり、また、レシートが発行された後に投入遮断蓋４が閉鎖位置にスライド移動されると、取込口７が直ちに閉鎖されることになるので、従業員は、次の計数がない（計数待ちの遊技客がいない）と判断した場合には、レシートを発行させる前後のいずれかで投入遮断蓋４を閉鎖位置にスライド移動させれば、計数処理に何ら支障を来たすことなく取込口７を閉鎖させることができ、不正な計数を防止することができると共に、所定時間だけ待機して取込口７が閉鎖されるまで拘束されることもなくなる。
【００３４】
一方、レシートが発行された後に投入遮断蓋４が閉鎖位置にスライド移動されることなく次のパチンコ玉が受入収容器３に投入されると、この状態では取込口７が開放されているので、この場合も、受入収容器３に投入されたパチンコ玉は、計数部１０に到達して計数部１０が計数を開始することになり、制御部１９は、計数部１０が計数を開始して計数パルスが発生すると（ステップＳ２０にて「ＹＥＳ」）、上記したステップＳ９以降を繰返して行う。
【００３５】
すなわち、レシートが発行された後に投入遮断蓋４が閉鎖位置にスライド移動されない限りは、取込口７が開放されたままになるので、従業員は、次の計数がある（計数待ちの遊技客がいる）と判断した場合には、レシートを発行させた後に投入遮断蓋４を閉鎖位置にスライド移動させなければ、新たな認証を必要とすることなく、次の遊技客が獲得したパチンコ玉を受入収容器３に投入して計数することができ、連続計数を容易に行うことができる。特に、例えば閉店間際などの計数待ちの遊技客で計数装置１が混雑する時間帯では十分な効果を期待することができる。
【００３６】
以上に説明したように本実施形態によれば、計数装置１において、従業員が携帯する従業員カードに内蔵されているＩＣタグから読取られた識別情報が正であると、投入口７を開放させてパチンコ玉の計数の抑制を解除し、その一方で、パチンコ玉の受入収容器３への投入が投入遮断蓋４により遮断された状態を開閉検知センサ６が検知すると、投入口７を閉鎖させてパチンコ玉の計数を抑制するように構成したので、従業員は、従業員カードに内蔵されているＩＣタグから識別情報を読取らせることにより、パチンコ玉の計数を行うことができ、その一方で、投入遮断蓋４を閉鎖位置にスライド移動させることにより、パチンコ玉の計数を抑制（禁止）することができる。これにより、セキュリティを高めた上で、従業員にとって煩雑な操作を必要とすることなくパチンコ玉の連続計数を可能とし、しかも、従業員を拘束してしまうこともなく、実用性を高めることができる。
【００３７】
また、計数部１０が計数を終了するのを待って開閉検知センサ６の検知結果がオンであるか否かを判定するように構成したので、計数している途中で取込口７を閉鎖して計数処理に支障を来たすことを未然に回避することができ、パチンコ玉の計数を最後まで適切に行うことができる。
【００３８】
本発明は、上記した実施形態に限定されることなく、次のように変形または拡張することができる。
パチンコ玉を計数するパチンコ玉計数装置に適用する構成に限らず、メダルなどの他の遊技媒体を計数する計数装置に適用する構成であっても良い。その場合、メダルを計数する計数装置に適用した構成では、パチンコ玉のように自由落下を期待することができないので、メダルをメダル収容口に案内するための計数円板を設けて回転させ、計数円板を回転させて発生する遠心力を利用してメダルをメダル収容口に案内する構成になるが、計数円板を回転運動させる回転運動状態と回転運動を禁止する回転運動禁止状態とを切換えることにより、上記した実施形態で説明したシャッタ８を開閉動作させる場合と同様の作用効果を得ることができる。
【００３９】
計数装置１に一体のスライド形式の投入遮断蓋４を採用する構成に限らず、計数装置１とは別体の投入遮断蓋４に相当する部材を採用する構成であっても良い。
従業員が把持部５を持って投入遮断蓋４をスライド移動させる構成に限らず、従業員が例えば蓋開閉ボタンを押下することに連動して投入遮断蓋４が自動でスライド移動される構成であっても良い。
【００４０】
従業員を認証する識別情報としてＩＣタグに記録されている識別情報を利用する構成に限らず、従業員を認証し得る他の記録媒体に記録されている識別情報を利用する構成や、当該従業員が携帯する操作リモコンから送信されるリモコン信号を利用する構成であっても良く、また、磁気情報や例えば指紋などの生体情報を利用して識別する構成であっても良い。さらに、識別情報の内容は、従業員毎に付与されている従業員コード、営業日当日の該当従業員の識別コード、遊技場の従業員であることを示す識別コード（遊技場内で共通の識別コード）であっても良い。尚、このような識別情報は予め計数装置１や管理装置２０などで別途設定しておく必要がある。
【００４１】
投入遮断蓋４が閉鎖位置にスライド移動されて受入収容器３の受入口３ａが閉鎖されているときには、正常な状態であれば、シャッタ８が閉鎖位置にスライド移動されて取込口７が閉鎖されていることになるが、仮に例えばシャッタ８が誤作動したりシャッタ８に不具合が発生したりしてシャッタ８が開放位置にスライド移動されたままで取込口７が開放されたままであると、そのことを従業員は把握することができないという事情があるので、投入遮断蓋４が閉鎖位置にスライド移動されて受入収容器３の受入口３ａが閉鎖されているときにシャッタ８が閉鎖位置にスライド移動されているか否かを判定し、シャッタ８が閉鎖位置にスライド移動されていないときに、警告表示画面（本発明でいう報知情報）を表示部１１に表示させるようにしても良い。
【００４２】
同様にして、メダルを計数する計数装置に適用した場合にも、投入遮断蓋４が閉鎖位置にスライド移動されて受入収容器３の受入口３ａが閉鎖されているときに計数円板が回転運動禁止状態にあるか否かを判定し、計数円板が回転運動禁止状態にないときに、警告表示画面を表示部１１に表示させるようにしても良い。
【００４３】
パチンコ玉を計数している途中で投入遮断蓋４が閉鎖位置にスライド移動されて受入収容器３の受入口３ａが閉鎖されたときには、計数処理中であることを表示部１１に表示させても良く、また、計数を終了した後にシャッタ８が閉鎖位置にスライド移動されて取込口７が閉鎖された時点で取込口７が閉鎖されたことを表示部１１に表示させても良い。このように構成すれば、パチンコ玉を計数している途中でも受入収容器３の受入口３ａを閉鎖させた場合であっても、計数装置５の状態を従業員に逐一把握させることができ、計数を一層迅速化することができる。
【００４４】
パチンコ玉の計数を終了するのを待って開閉検知センサ６の検知結果がオンであるか否かを判定する構成に限らず、パチンコ玉を計数している途中で開閉検知センサ６の検知結果がオンであるか否かを判定し、開閉検知センサ６の検知結果がオンであると判定したときに、パチンコ玉の計数を終了するのを待ってシャッタ８を閉鎖位置にスライド移動させて取込口７を閉鎖させる構成であっても良い。
【図面の簡単な説明】
【００４５】
【図１】本発明の一実施形態を示すもので、計数装置の斜視図
【図２】投入遮断蓋が開放位置にスライド移動されている態様を示す平面図
【図３】投入遮断蓋が閉鎖位置にスライド移動されている態様を示す平面図
【図４】電気的な構成を示す機能ブロック図
【図５】フローチャート
【符号の説明】
【００４６】
図面中、１はパチンコ玉計数装置（遊技媒体計数装置）、３はパチンコ玉受入収容器（受入収容手段）、４は投入遮断蓋（投入遮断手段）、６は開閉検知センサ６（検知手段）、７は取込口、８はシャッタ（取込口開閉手段）、１０は計数部（計数手段）、１１は表示部（報知手段）、１７は識別情報読取部（識別情報取得手段）、１９は制御部（判定手段）、２４は計数抑制手段である。
【図１】
2008220751.tif 000003
【図２】
2008220751.tif 000004
【図３】
2008220751.tif 000005
【図４】
2008220751.tif 000006
【図５】
2008220751.tif 000007